(57)【要約】【課題】本発明は、ペン体を保持するペン体ホルダーのみをペン体ホルダーが接着される面から着脱可能なペン体ホルダーを提供することを課題とする。【解決手段】粘着性を有する材質で形成された粘着体を片面に有するシート状の粘着部と、可撓性を有する材質で形成され、ペン体を保持する保持部と、前記保持部を前記粘着部に固着する固着部と、を備え、前記保持部は、１枚のシートを折り返して重なった部分が固着され、前記ペン体の挿入方向が開口した筒状に形成されるとともに、前記ペン体が挿入されると前記ペン体を保持可能な寸法に内部空間が拡大し、前記粘着体は、前記粘着体が接着される面に対して着脱可能である。【選択図】図７
2018118464.tif 000002
【特許請求の範囲】
【請求項１】
粘着性を有する材質で形成された粘着体を片面に有するシート状の粘着部と、
可撓性を有する材質で形成され、ペン体を保持する保持部と、
前記保持部を前記粘着部に固着する固着部と、を備え、
前記保持部は、１枚のシートを折り返して重なった部分が固着され、前記ペン体の挿入方向が開口した筒状に形成されるとともに、前記ペン体が挿入されると前記ペン体を保持可能な寸法に内部空間が拡大し、
前記粘着体は、前記粘着体が接着される面に対して着脱可能であることを特徴とするペン体ホルダー。
【請求項２】
前記保持部には、前記挿入方向に沿って切り欠かれた切り欠き部が形成されたことを特徴とする請求項１記載のペン体ホルダー。
【請求項３】
前記固着部は、前記粘着部の面のうち、前記粘着体を有する面の反対側の面上に前記保持部を固着していることを特徴とする請求項１又は２記載のペン体ホルダー。
【請求項４】
前記固着部は、前記粘着部の面のうち、前記粘着体を有する面の反対側の面の辺縁に対して斜めに傾けて前記保持部を固着していることを特徴とする請求項３記載のペン体ホルダー。
【発明の詳細な説明】
【技術分野】
【０００１】
本発明は、ペン体ホルダーに関する。
【背景技術】
【０００２】
スマートフォン等の携帯情報端末を操作するためのスタイラスペンは、携帯情報端末と一緒に保持しておくことが、使用時の利便性等から考えて望ましい。なお、入力手段（筆記手段）としての筆記具を被入力手段（被筆記手段）としてのノートと一緒に保持しておく技術として、特許文献１に記載されたものがある。
【０００３】
近年では、スマートフォンをそのスマートフォンに対応するスマートフォンケースに収容しているユーザが多い。このスマートフォンケースには、スタイラスペンを保持するためのペン体ホルダーを備えたものが存在する。ただし、従来のペン体ホルダーは、このペン体ホルダーがスマートフォンケースの長手側の辺縁から外側に突出した構造でスマートフォンケースに固着されている。
【先行技術文献】
【特許文献】
【０００４】
【特許文献１】特開２０１５−８３３６７号公報
【発明の概要】
【発明が解決しようとする課題】
【０００５】
多くのスマートフォンでは、その側面等の辺縁に電源ボタン等の操作ボタンや充電用の孔部等が配置されている。そのため、ペン体ホルダーをスマートフォンケースに設ける場合、スマートフォンの操作ボタンや充電用の孔部等を避けた位置に設ける必要があり、ペン体ホルダーを設けることができる位置が限られている。また、従来のペン体ホルダーはスマートフォンケースに固着されているため、スマートフォンケースに対してペンホルダーのみを着脱することができない。さらに、スマートフォンの機種毎に対応するスマートフォンケースの形状が異なるため、スマートフォンの機種を問わずに装着可能なペン体ホルダーが求められている。
【０００６】
そこで、本発明は、ペン体を保持するペン体ホルダーのみをペン体ホルダーが接着される面から着脱可能なペン体ホルダーを提供することを課題とする。
【課題を解決するための手段】
【０００７】
上記課題を解決するために、本発明は、以下のような構成を備える。
（第１の発明）
第１の発明に係るペン体ホルダー10は、粘着性を有する材質で形成された粘着体22を片面に有するシート状の粘着部20と、可撓性を有する材質で形成され、ペン体50を保持する保持部30と、前記保持部30を前記粘着部20に固着する固着部40と、を備え、前記保持部30は、１枚のシートを折り返して重なった部分が固着され、前記ペン体50の挿入方向が開口した筒状に形成されるとともに、前記ペン体50が挿入されると前記ペン体50を保持可能な寸法に内部空間が拡大し、前記粘着体22は、前記粘着体22が接着される面に対して着脱可能であることを特徴とする。
【０００８】
ここで、「粘着体22」とは、粘着体22が接着される面に対して着脱可能であればよく、たとえば、繰り返し着脱して使用可能な粘着テープ又は粘着シート等をいう。
「可撓性を有する材質」とは、可撓性を有する材質であればよく、たとえば、軟質ポリプロピレン、軟質ポリエチレン、シリコン又は合成皮革等をいう。
【０００９】
「ペン体50」とは、ペンの形状をしたものであればよく、ボールペン等の筆記具や静電式又は感圧式等のスタイラスペンをいう。
「ペン体50の挿入方向」とは、保持部30に対してペン体50を挿入する際の方向をいう。
【００１０】
（第２の発明）
第２の発明に係るペン体ホルダー10は、前記保持部30には、前記挿入方向に沿って切り欠かれた切り欠き部34が形成されたことを特徴とする。
【００１１】
（第３の発明）
第３の発明に係るペン体ホルダー10は、前記固着部40は、前記粘着部20の面のうち、前記粘着体22を有する面の反対側の面上に前記保持部30を固着していることを特徴とする。
【００１２】
（第４の発明）
第４の発明に係るペン体ホルダー10は、前記固着部40は、前記粘着部20の面のうち、前記粘着体22を有する面の反対側の面の辺縁に対して斜めに傾けて前記保持部30を固着していることを特徴とする。
【発明の効果】
【００１３】
第１の発明では、開口部にペン体を挿入すると、保持部が撓むことで内部空間が拡大してペン体を保持可能な寸法となることにより、保持部にペン体を保持することができる。また、第１の発明では、粘着体が接着される面、たとえば、スマートフォン又はスマートフォンケースの背面に対して着脱可能な粘着体を有することにより、粘着部をスマートフォン等の背面の自由な場所に接着することができる。
【００１４】
そのため、第１の発明によれば、ペン体を保持するペン体ホルダーのみをスマートフォン等の背面から着脱することができる。また、第１の発明によれば、スマートフォン等の背面の自由な場所にペン体ホルダーを接着することができる。
【００１５】
第２の発明では、保持部には、挿入方向に沿って切り欠かれた切り欠き部が形成されている。これにより、ペン体に切り欠き部に係止可能なクリップを備えた場合には、切り欠き部の挿入方向の前端にクリップを係止させることで、保持部におけるペン体の保持位置を切り欠き部の挿入方向の前端まで下げることができる。そのため、第２の発明によれば、ペン体の挿入方向の後端にスマートフォン等の携帯情報端末を操作可能な操作部を備えた場合において、切り欠き部を備えない構成と異なり、操作部を保持部で隠すことができるため、保持部にペン体が保持された状態における操作部の消耗を軽減することができる。
【００１６】
第３の発明では、固着部は、粘着部の面のうち、粘着体を有する面の反対側の面上に保持部を固着している。そのため、第３の発明によれば、粘着部と並行に保持部が固着された構成に比べて、保持部に対してペン体を脱着する度に粘着部の保持部側の辺縁が捲れ上がることが少なくなり、粘着部の粘着性が低下することを防止できる。
【００１７】
第４の発明では、固着部は、粘着部の面のうち、粘着体を有する面の反対側の面の辺縁に対して斜めに傾けて保持部を固着している。これにより、粘着体が接着される面、たとえば、スマートフォン等の背面に対してその面の対角線に沿うようにして斜めに傾けてペン体を保持することができる。そのため、第４の発明によれば、スマートフォン等の背面の辺縁に沿って保持部を固着している構成に比べて、全長の長いペン体をスマートフォン等の背面からはみ出すことなく保持することができる。
【図面の簡単な説明】
【００１８】
【図１】第１の実施形態に係るペン体ホルダーの正面図（Ａ）及び背面図（Ｂ）である。
【図２】第１の実施形態に係るペン体ホルダーをタブレット端末に接着した状態を示す斜視図である。
【図３】第１の実施形態に係るペン体ホルダーをタブレット端末に接着した状態を示す正面図（Ａ）及び右側面図（Ｂ）である。
【図４】ペン体を保持した第１の実施形態に係るペン体ホルダーをタブレット端末に接着した状態を示す斜視図である。
【図５】第２の実施形態に係るペン体ホルダーの正面図（Ａ）及び背面図（Ｂ）である。
【図６】第２の実施形態に係るペン体ホルダーをスマートフォンに接着した状態を示す正面図である。
【図７】ペン体を保持した第２の実施形態に係るペン体ホルダーをスマートフォンに接着した状態を示す正面図（Ａ）及び左側面図（Ｂ）である。
【図８】第２の実施形態に係るペン体ホルダーをスマートフォンに接着した状態を示す斜視図（Ａ）及びペン体を保持した第２の実施形態に係るペン体ホルダーをスマートフォンに接着した状態を示す斜視図（Ｂ）である。
【発明を実施するための形態】
【００１９】
（第１の実施形態）
以下、第１の実施形態に係るペン体ホルダー10について説明する場合は、ペン体ホルダー10を基準とする方向を用いて説明する。すなわち、図１（Ａ）に示すペン体ホルダー10の向きを正面とした場合における「左右方向」及び「上下方向」を用いて説明する。また、図２〜図４のように、ペン体ホルダー10をタブレット端末100に接着した場合においても、図１（Ａ）に示すペン体ホルダー10の向きを正面とした場合における方向を用いて説明する。
【００２０】
（ペン体ホルダー10）
第１の実施形態に係るペン体ホルダー10は、図１（Ａ）に示すように、粘着部20と、保持部30と、固着部40と、を備える。各構成の詳細については後述する。
そして、ペン体ホルダー10は、図２に示すように、タブレット端末100の図示しない液晶画面を備える面の反対側の面であり、後述する粘着体22が接着される被接着面110に対して着脱可能に接着される。
【００２１】
（粘着部20）
第１の実施形態に係る粘着部20は、図１（Ａ）に示すように、上下方向を長手とし、左右方向を短手とする正面視において略長方形状のシート状部材である。粘着部20は可撓性を有する材質で形成されており、第１の実施形態では軟質ポリプロピレンで形成されている。なお、粘着部20の材質は、軟質ポリプロピレンに限られず、軟質ポリエチレン、シリコン又は合成皮革等でもよい。
【００２２】
また、粘着部20は、図１（Ｂ）に示すように、その背面に、タブレット端末100の被接着面110に対して着脱可能な粘着体22を有している。第１の実施形態では、粘着体22は繰り返し着脱して使用可能な粘着テープとされている。なお、粘着体22は粘着テープに限られず、粘着シート等でもよい。また、第１の実施形態では、図１（Ｂ）に示すように、粘着部20の背面のほぼ全域に粘着体22を有しているが、粘着部20の背面に占める粘着体22の割合はこれには限られない。たとえば、粘着体22は、粘着部20の背面のうち、その周縁にのみ有する等、粘着部20の背面の一部にのみ粘着体22を設けるものであってもよい。
【００２３】
（保持部30）
第１の実施形態に係る保持部30は、図１（Ａ）に示すように、上下方向を長手とし、左右方向を短手とする正面視において略長方形状の部材である。また、保持部30の上下方向の長さは、粘着部20の上下方向の長さと同一であり、保持部30の左右方向の長さは、粘着部20の左右方向の長さの約１／２とされている。なお、保持部30の寸法は、前述のものに限らず、たとえば、その上下方向の長さが粘着部20の上下方向の長さより長くても短くてもよいし、その左右方向の長さが粘着部20の左右方向の長さの約１／２より長くても短くてもよく、粘着部20の左右方向の長さと同一でもよい。
【００２４】
保持部30は可撓性を有する材質で形成されており、第１の実施形態では粘着部20と同一の軟質ポリプロピレンで形成されている。なお、保持部30の材質は、軟質ポリプロピレンに限られず、軟質ポリエチレン、シリコン又は合成皮革等でもよい。また、保持部30の材質は、粘着部20の材質と異なってもよい。
【００２５】
保持部30は、１枚のシートを折り返して重なった部分が固着され、後述するペン体50の挿入方向（上下方向）が開口した筒状に形成されている。また、保持部30は、後述するペン体50が挿入されると後述するペン体50を保持可能な寸法に内部空間が拡大する。つまり、保持部30は、可撓性を有する材質で形成されていることからその形状を変形させることができる。
【００２６】
ここで、保持部30は、図２に示すように、開口部32と、切り欠き部34と、を備えている。
開口部32は、筒状に形成された保持部30における後述するペン体50の挿入方向（上下方向）の両端の開口部分である。後述するペン体50の挿入方向とは、保持部30に対して後述するペン体50を挿入する際の方向をいう。
【００２７】
このとき、保持部30は、後述するペン体50の前端（下端）が開口部32の後端（上端）から挿入されていくことで、保持部30が撓んで内部空間が拡大される。これにより、保持部30は、後述するペン体50が保持可能な寸法まで内部空間が拡大する。そして、この内部空間が拡大した状態（以下、「拡大状態」とする）における開口部32の幅は、後述するペン体50の外径よりもやや広く、後述するペン体50を挿入可能な幅となっている。これにより、拡大状態では、開口部32に後述するペン体50の全体を挿入することが可能となっている。
【００２８】
切り欠き部34は、後述するペン体50の挿入方向（上下方向）に沿って、具体的には、保持部30の右端かつ上端から下方に向けて切り欠かれた切り欠き部分である。図３（Ｂ）に示すように、拡大状態における切り欠き部34の幅は、後述するペン体50のクリップ52が挿入可能な幅となっている。また、切り欠き部34の上下方向の長さは、後述するペン体50を保持部30に保持した状態において、後述するペン体50の操作部54を保持部30内に包み隠す幅となっている。具体的には、切り欠き部34の上下方向の長さは、後述するペン体50における切り欠き部34の下端と接触する後述するクリップ52の部分から後述する操作部54の後端（上端）までの上下方向の長さよりも長い。
【００２９】
ここで、第１の実施形態では、切り欠き部34は、図１（Ａ）に示すように、保持部30における固着部40の反対側（右側）に形成されている。これにより、保持部30が固着部40により粘着部20に固着される長さを長くできるため、切り欠き部34を保持部30における固着部40側（左側）に形成した構成に比べて、保持部30に対してペン体50が脱着される際の強度を高めることができる。
【００３０】
（固着部40）
第１の実施形態に係る固着部40は、図１（Ａ）に示すように、保持部30を粘着部20に固着するものである。第１の実施形態では固着方法として、固着部40は、熱溶着により保持部30を粘着部20に溶着している。そして、固着部40は、粘着部20と保持部30とが並行になるように、粘着部20の右側面に保持部30を溶着している。なお、固着方法は溶着に限らず、接着や縫着等でもよい。
【００３１】
（使用方法の説明）
以下、第１の実施形態に係るペン体ホルダー10の使用方法について説明する。
なお、第１の実施形態では、上述のように、タブレット端末100の被接着面110にペン体ホルダー10が着脱可能に接着されるものである。このとき、被接着面110は、粘着体22を接着することができる程度の平滑な面とされている。たとえば、第１の実施形態では、被接着面110が梨地になるような加工が施されている。これにより、粘着テープである粘着体22を接着した場合に、接着面110に対して粘着体22を多数、点接触させることができ、ペン体ホルダー10を繰り返し着脱することが容易となる。そして、図２に示すように、第１の実施形態に係るタブレット端末100は、被接着面110の左端かつ上端付近にカメラ部120を備え、被接着面110と連続する下方の辺縁面には電源ボタンや音声調整ボタン等の操作ボタン130を備えている。
【００３２】
また、図３（Ｂ）に示すように、第１の実施形態に係るペン体50は、その側面に切り欠き部34の下端に係止可能なクリップ52を備え、その後端（上端）にタブレット端末100を操作可能な操作部54を備えている。そして、第１の実施形態に係るペン体50は、静電式スタイラスペンであり、操作部54は静電式スタイラスペンの操作部分である。なお、ペン体50は、静電式スタイラスペンに限らず、感圧式スタイラスペン等でもよいし、スタイラスペンではなく、ボールペン等の筆記具でもよい。
【００３３】
まず、被接着面110に粘着体22を接触させて、粘着体22を被接着面110の右端かつ上下方向の中央のやや上寄りに接着させる。これにより、図２に示すように、ペン体ホルダー10がタブレット端末100に接着される。
【００３４】
次に、クリップ52を切り欠き部34側に向けた状態で、ペン体50の前端（下端）から開口部32に挿入する。すると、保持部30は、その可撓性により撓むことで内部空間が拡大していき、ペン体50を保持可能な寸法となる。そして、この状態で開口部32の前端（下端）側にペン体50を挿入していくと、図３（Ａ）に示すように、クリップ52が切り欠き部34の下端に係止する。そして、クリップ52が切り欠き部34の下端に係止した状態においては、図３（Ｂ）に示すように、ペン体50の操作部54が保持部30内に包み隠されている。
【００３５】
以上のようにして、図３及び図４に示すように、ペン体ホルダー10がタブレット端末100の被接着面110に接着され、ペン体50が保持部30に保持されることとなる。
【００３６】
（第１の実施形態の作用効果）
第１の実施形態では、開口部32にペン体50を挿入すると、保持部30が撓むことで内部空間が拡大してペン体50を保持可能な寸法となることにより、保持部30にペン体50を保持することができる。また、第１の実施形態では、タブレット端末100の被接着面110に対して着脱可能な粘着体22を有することにより、粘着部20を被接着面110の自由な場所に接着することができる。これにより、第１の実施形態では、図２〜図４に示すように、ペン体ホルダー10がタブレット端末100の被接着面110の右端かつ上下方向の中央のやや上寄りに接着されている。
【００３７】
そのため、第１の実施形態によれば、ペン体50が保持されたペン体ホルダー10のみをタブレット端末100の被接着面110から着脱することができる。また、第１の実施形態によれば、タブレット端末100の被接着面110の自由な場所にペン体ホルダー10を接着することができる。
【００３８】
したがって、第１の実施形態では、一例として、ペン体ホルダー10をタブレット端末100の被接着面110の右端かつ上下方向の中央のやや上寄りに接着しているが、この接着場所を自由に変えることができる。そのため、第１の実施形態によれば、タブレット端末100のカメラ部120や操作ボタン130が設けられた場所を回避してペン体ホルダー10をタブレット端末100に接着することができるので、タブレット端末100の機能や操作を邪魔することがない。
【００３９】
また、第１の実施形態では、保持部30には、ペン体50の挿入方向に沿って切り欠かれた切り欠き部34が形成されている。これにより、ペン体50に切り欠き部34に係止可能なクリップ52を備えた場合には、切り欠き部34の下端にクリップ52を係止させることで、保持部30におけるペン体50の保持位置を切り欠き部34の下端まで下げることができる。そのため、第１の実施形態によれば、ペン体50の後端にタブレット端末100を操作可能な操作部54を備えた場合において、切り欠き部34を備えない構成と異なり、操作部54を保持部30で隠すことができるため、ペン体50を保持部30に保持した状態における操作部54の消耗を軽減することができる。
【００４０】
（第２の実施形態）
以下、本実施の形態の第２の実施形態を第１の実施形態と重複する部分は説明を省略して説明する。
第２の実施形態では、固着部40は、粘着部20の面のうち、粘着体22を有する面（背面）の反対側の面（以下、「粘着体22の正面」とする）上に保持部30を溶着している点で、粘着部20と保持部30とが並行になるように粘着部20の右側面に保持部30を溶着している第１の実施形態と異なる。また、第２の実施形態では、ペン体ホルダー10の接着対象をスマートフォン200の被接着面210としている点で、ペン体ホルダー10の接着対象をタブレット端末100の被接着面110としている第１の実施形態と異なる。
【００４１】
（粘着部20）
第２の実施形態に係る粘着部20は、図５（Ａ）に示すように、上下方向を長手とし、左右方向を短手とする正面視において略長方形状のシート状部材である。
また、粘着部20は、図５（Ｂ）に示すように、その背面に、スマートフォン200の被接着面210に対して着脱可能な粘着体22を有している。
【００４２】
（保持部30）
第２の実施形態に係る保持部30は、図５（Ａ）に示すように、粘着部20の面のうち、粘着体22の正面上に固着部40により溶着されている。また、第２の実施形態では、保持部30の寸法は、粘着部20の面のうち、粘着体22の正面上に収まる寸法とされている。なお、保持部30の寸法は、粘着部20の面のうち、粘着体22の正面上に収まる寸法に限らず、この粘着体22の正面上からはみ出す寸法でもよい。
【００４３】
ここで、保持部30は、図７及び図８（Ａ）に示すように、開口部32と、切り欠き部34と、角部36と、を備えている。
開口部32は、筒状に形成された保持部30におけるペン体50の挿入方向（粘着部20の正面の辺縁に対する斜め方向）の両端の開口部分である。
【００４４】
切り欠き部34は、図７（Ｂ）に示すように、ペン体50の挿入方向（粘着部20の正面の辺縁に対する斜め方向）に沿って、具体的には、保持部30の左端かつ上端から左斜め下方に向けて切り欠かれた切り欠き部分である。また、第２の実施形態では、切り欠き部34は、図７（Ａ）に示すように、保持部30における固着部40側（左側）に形成されている。これにより、クリップ52を内側（固着部40側）に向けることができるため、保持部30にペン体50が保持された状態において、クリップ52が衣服のポケット等に引っ掛かることを抑制できる。
【００４５】
角部36は、図７（Ａ）及び図８に示すように、保持部30において切り欠き部34の反対側（右側）、具体的には、保持部30の右端かつ上端から下方に向けて切り欠かれた切り欠き部分である。また、角部36の上端は、粘着部20と形を合わせるべく、粘着部20の角の形状に沿ったＲ加工が施されている。これにより、保持部30の右端かつ上端が尖っている構成に比べて、手指を傷つけるおそれなくペン体50を開口部32に挿入することができる。
【００４６】
（固着部40）
第２の実施形態に係る固着部40は、図５に示すように、保持部30を粘着部20に溶着するものである。そして、固着部40は、粘着部20の面のうち、粘着体22の正面上であって、この粘着体22の正面の辺縁に対して斜めに傾けて保持部30を溶着している。
そして、固着部40は、粘着部20の面のうち、粘着体22の正面上のうち、その辺縁付近に設けられないことが粘着部20の辺縁の捲れ上がりを防止する観点から望ましい。
【００４７】
（使用方法の説明）
以下、第２の実施形態に係るペン体ホルダー10の使用方法について説明する。なお、ペン体50が保持部30に保持される方法は第１の実施形態と同様のため、説明を省略する。
【００４８】
なお、第２の実施形態では、上述のように、スマートフォン200の被接着面210にペン体ホルダー10が着脱可能に接着されるものである。そして、図６に示すように、第２の実施形態に係るスマートフォン200は、被接着面210の左端かつ上端付近にカメラ部220を備え、被接着面210と連続する右方の辺縁面には電源ボタンや音声調整ボタン等の操作ボタン230を備え、被接着面210と連続する下方の辺縁面には充電器が挿入される充電用孔部240が形成されている。
【００４９】
被接着面210に粘着体22（図５（Ｂ）参照）を接触させて、粘着体22を被接着面210の右端かつ上端付近に接着させる。これにより、図６に示すように、ペン体ホルダー10がスマートフォン200に接着される。
【００５０】
以上のようにして、図７及び図８（Ｂ）に示すように、ペン体ホルダー10がスマートフォン200の被接着面210に接着され、ペン体50が保持部30に保持されることとなる。
【００５１】
（第２の実施形態の作用効果）
第２の実施形態に係るペン体ホルダー10は、第１の実施形態に係るペン体ホルダー10の作用効果に加え、以下の作用効果を奏する。
第２の実施形態では、固着部40は、粘着部20の面のうち、粘着体22の正面上に保持部30を溶着している。そのため、第２の実施形態によれば、粘着部20と並行に保持部30が溶着された構成に比べて、保持部30に対してペン体50を脱着する度に粘着部20の保持部30側の辺縁が捲れ上がることが少なくなり、粘着部20の粘着性が低下することを防止できる。
【００５２】
また、第２の実施形態では、固着部40は、粘着部20の面のうち、粘着体22の正面の辺縁に対して斜めに傾けて保持部30を溶着している。これにより、スマートフォン200の接着面210に対してその面の対角線に沿うようにして斜めに傾けてペン体50を保持することができる。そのため、第２の実施形態によれば、粘着体22の正面の辺縁に沿って保持部30を溶着している構成に比べて、全長の長いペン体50をスマートフォン200の接着面210からはみ出すことなく保持することができる。
【００５３】
（その他）
なお、以上で説明した第１の実施形態、第２の実施形態及び本変形例においては、ペン体ホルダー10の接着対象をタブレット端末100又はスマートフォン200の被接着面としたが、これらには限られず、ペン体ホルダー10の接着対象を携帯ゲーム機やノートパソコン等の被接着面としてもよい。
【００５４】
また、以上で説明した第１の実施形態、第２の実施形態及び本変形例においては、タブレット端末100又はスマートフォン200の被接着面にペン体ホルダー10を接着させることとしたがこれには限られない。たとえば、タブレット端末100又はスマートフォン200に保護シートや保護ケース等の保護部材を装着した場合には、タブレット端末100又はスマートフォン200の保護部材の被接着面にペン体ホルダー10を接着させてもよい。ただし、この場合におけるタブレット端末100又はスマートフォン200の保護部材の被接着面は、第１の実施形態、第２の実施形態及び本変形例で説明した被接着面と同様に、粘着体22を接着することができる程度の平滑な面であることが必要である。
【符号の説明】
【００５５】
10  ペン体ホルダー
20  粘着部                                22  粘着体
30  保持部                                32  開口部
34  切り欠き部                            36  角部
40  固着部
50  ペン体
52  クリップ                              54  操作部
100  タブレット端末                      110  被接着面
120  カメラ部                            130  操作ボタン
200  スマートフォン                      210  被接着面
220  カメラ部                            230  操作ボタン
240  充電用孔部
【図１】
2018118464.tif 000003
【図２】
2018118464.tif 000004
【図３】
2018118464.tif 000005
【図４】
2018118464.tif 000006
【図５】
2018118464.tif 000007
【図６】
2018118464.tif 000008
【図７】
2018118464.tif 000009
【図８】
2018118464.tif 000010